(57)【特許請求の範囲】
【請求項１】
映像信号を情報記録媒体に記録する記録手段と、
記録する前記映像信号から代表画面を抽出する抽出手段と、
抽出された前記代表画面に評価値を付与する付与手段と、
抽出された前記代表画面を前記情報記録媒体に保存する保存手段と、
付与された前記評価値に基づいて、前記情報記録媒体に保存された前記代表画面を間引く間引き手段と含み、
前記付与手段は、時間的に隣接した前記代表画面の前記評価値を低減して付与し、
前記間引き手段は、さらに、前記代表画面間の間隔が所定の閾値を超えないように前記代表画面を間引く
映像信号記録再生装置。
【請求項２】
前記抽出手段、前記付与手段、前記保存手段、および前記間引き手段は、前記記録手段が前記映像信号を記録する処理に平行して、それぞれの処理を実行する
請求項１に記載の映像信号記録再生装置。
【請求項３】
前記間引き手段は、前記情報記録媒体に保存された前記代表画面の類似性に基づいて、前記代表画面を間引く
請求項１に記載の映像信号記録再生装置。
【請求項４】
映像信号記録装置の映像信号記録方法において、
映像信号を情報記録媒体に記録する記録ステップと、
記録する前記映像信号から代表画面を抽出する抽出ステップと、
抽出された前記代表画面に評価値を付与する付与ステップと、
抽出された前記代表画面を前記情報記録媒体に保存する保存ステップと、
付与された前記評価値に基づいて、前記情報記録媒体に保存された前記代表画面を間引く間引きステップと含み、
前記付与ステップは、時間的に隣接した前記代表画面の前記評価値を低減して付与し、
前記間引きステップは、さらに、前記代表画面間の間隔が所定の閾値を超えないように前記代表画面を間引く
映像信号記録再生方法。
【請求項５】
映像信号を情報記録媒体に記録する記録ステップと、
記録する前記映像信号から代表画面を抽出する抽出ステップと、
抽出された前記代表画面に評価値を付与する付与ステップと、
抽出された前記代表画面を前記情報記録媒体に保存する保存ステップと、
付与された前記評価値に基づいて、前記情報記録媒体に保存された前記代表画面を間引く間引きステップと含み、
前記付与ステップは、時間的に隣接した前記代表画面の前記評価値を低減して付与し、
前記間引きステップは、さらに、前記代表画面間の間隔が所定の閾値を超えないように前記代表画面を間引く
処理を映像信号記録再生装置のコンピュータに実行させるプログラムが記録されている記録媒体。
【発明の詳細な説明】
【０００１】
【発明の属する技術分野】
本発明は、映像信号記録再生装置および方法、並びに記録媒体に関し、例えば、情報記録媒体に記録した映像信号の再生開始位置の目安となる代表画面を決定する場合に用いて好適な映像信号記録再生装置および方法、並びに記録媒体に関する。
【０００２】
【従来の技術】
記録メディアに記録された番組または番組群の内容を把握する場合や、検索を行なったりする場合に、表示画面に縮小された静止画あるいは動画を複数表示し、それを参照することで、番組内容を把握したり、所望の番組や番組内のシーンを選択する方法がある。
【０００３】
従来はこのように提示された代表画面群は、自動的に抽出された特徴的な画面を代表画面候補として記録していくことにより、番組内容を把握したり、再生開始位置を指定するには多すぎる数が存在することがあった。
【０００４】
【発明が解決しようとする課題】
ところで、上述した方法で代表画面を決定する際に、以下のような問題があった。
【０００５】
例えば、ほとんど画面の内容が同じ代表画面が複数記録されてしまったり、比較的短い時間の番組において、大量の代表画面が記録されてしまったりすることがあった。
【０００６】
これでは、番組の開始位置を決定するのに、有効ではない画面が含まれすぎていて検索が効率的に行なわれなくなる可能性があった。
【０００７】
また、番組記録時に代表画面を間引かず、記録終了時あるいは再生時に間引くとすると、その処理に時間がかかってしまい、ユーザの要求に対する応答性が悪くなってしまうことがあった。
【０００８】
本発明はこのような状況に鑑みてなされたものであり、記録メディアに記録された映像信号を効率的に検索できるように代表画面の数を間引くことを目的とする。
【０００９】
【課題を解決するための手段】
本発明の映像信号記録再生装置は、映像信号を情報記録媒体に記録する記録手段と、記録する映像信号から代表画面を抽出する抽出手段と、抽出された代表画面に評価値を付与する付与手段と、抽出された代表画面を情報記録媒体に保存する保存手段と、付与された評価値に基づいて、情報記録媒体に保存された代表画面を間引く間引き手段と含み、付与手段は、時間的に隣接した代表画面の評価値を低減して付与し、間引き手段は、さらに、代表画面間の間隔が所定の閾値を超えないように代表画面を間引く。
【００１０】
前記抽出手段、前記付与手段、前記保存手段、および前記間引き手段には、記録手段が映像信号を記録する処理に平行して、それぞれの処理を実行させるようにすることができる。
【００１３】
前記間引き手段には、情報記録媒体に保存された代表画面の類似性に基づいて、代表画面を間引かせるようにすることができる。
【００１４】
本発明の映像信号記録方法は、映像信号を情報記録媒体に記録する記録ステップと、記録する映像信号から代表画面を抽出する抽出ステップと、抽出された代表画面に評価値を付与する付与ステップと、抽出された代表画面を情報記録媒体に保存する保存ステップと、付与された評価値に基づいて、情報記録媒体に保存された代表画面を間引く間引きステップと含み、付与ステップは、時間的に隣接した代表画面の評価値を低減して付与し、間引きステップは、さらに、代表画面間の間隔が所定の閾値を超えないように代表画面を間引く。
【００１５】
本発明の記録媒体は、映像信号を情報記録媒体に記録する記録ステップと、記録する映像信号から代表画面を抽出する抽出ステップと、抽出された代表画面に評価値を付与する付与ステップと、抽出された代表画面を情報記録媒体に保存する保存ステップと、付与された評価値に基づいて、情報記録媒体に保存された代表画面を間引く間引きステップと含み、付与ステップは、時間的に隣接した代表画面の評価値を低減して付与し、間引きステップは、さらに、代表画面間の間隔が所定の閾値を超えないように代表画面を間引く処理を映像信号記録再生装置のコンピュータに実行させるプログラムが記録されている。
【００１６】
本発明においては、映像信号が情報記録媒体に記録され、記録される映像信号から代表画面が抽出され、抽出された代表画面に評価値が付与され、抽出された代表画面が情報記録媒体に保存される。さらに、付与された評価値に基づいて、情報記録媒体に保存された代表画面が間引かれる。なお、評価値の付与は、時間的に隣接した代表画面の評価値が低減して付与され、代表画面の間引きは、さらに、代表画面間の間隔が所定の閾値を超えないように代表画面が間引される。
【００１７】
【発明の実施の形態】
以下図面を用いて、本発明の一実施の形態であるハードディスクレコーダについて説明する。
【００１８】
図１は、ハードディスクレコーダの構成例を示すブロック図である。アンテナ１は、テレビジョン放送を受信し、その受信信号をチューナ２に供給する。チューナ２は、システムコントローラ３１の指令に基づいて、アンテナ１からの放送波の受信信号の中から、所定のチャンネルの番組の信号を受信し、入力切換器５に供給する。
【００１９】
図示せぬ外部装置は、外部ビデオ入力端子３−１を介してＳ映像信号（Ｙ信号（輝度信号）とＣ信号（色信号）の分離信号）をスイッチ９の端子ａに入力する。また、外部装置は、外部ビデオ入力端子３−２を介してコンポジット映像信号を、また、外部オーディオ入力端子４を介して音声信号を、それぞれ入力切換器５に入力する。
【００２０】
入力切換器５は、システムコントローラ３１の指令に基づいて、入力された映像信号または音声信号のうち、所望の信号を選択し、コンポジット映像信号をＹＣ分離回路８に、音声信号をA/D(Analog to Digital)変換器６に、それぞれ出力する。
【００２１】
A/D変換器６は、入力切換器５より入力された音声信号をA/D変換し、MPEG(Moving Picture Experts Group)オーディオエンコーダ７に供給する。A/D変換器６はまた、A/D変換した音声データをスイッチ２５の端子ｂに供給する。MPEGオーディオエンコーダ７は、システムコントローラ３１の指令に基づいて、A/D変換器６より供給された音声データに対して、MPEG方式で圧縮処理し、音声のエレメンタリストリーム（ＥＳ：Elementary Stream）を生成し、マルチプレクサ／デマルチプレクサ１４に供給する。
【００２２】
ＹＣ分離回路８は、システムコントローラ３１の指令に基づいて、入力切換器５より入力されたコンポジット映像信号を、輝度信号（Ｙ信号）と色信号（Ｃ信号）に分離し、スイッチ９の端子ｂを介してNTSC(National Television System Committee)デコーダ１０に供給する。スイッチ９は、システムコントローラ３１の指令に基づいて、外部装置からのＳ映像信号をNTSCデコーダ１０に供給するとき、端子ａを選択するように切り替えられ、ＹＣ分離回路８からの映像分離信号をNTSCデコーダ１０に供給するとき、端子ｂを選択するように切り替えられる。
【００２３】
NTSCデコーダ１０は、システムコントローラ３１の指令に基づいて、スイッチ９を介して入力された映像信号に対して、A/D変換処理、およびクロマエンコード処理等を施し、それをデジタルコンポーネントビデオ信号（以下、画像データと記載する）に変換し、プリ映像信号処理回路１２に供給する。NTSCデコーダ１０はまた、入力された映像信号の水平同期信号に基づいてクロックを生成するとともに、同期分離して得られた水平同期信号、垂直同期信号、およびフィールド判別信号を同期信号制御回路１１に供給する。
【００２４】
同期信号制御回路１１は、システムコントローラ３１の指令に基づいて、NTSCデコーダ１０より供給された水平同期信号、垂直同期信号、およびフィールド判別信号を基準として、クロックおよび同期信号を生成し、各部にそれぞれ供給する。
【００２５】
プリ映像信号処理回路１２は、システムコントローラ３１の指令に基づいて、NTSCデコーダ１０より供給された画像データに対して、プリフィルタ等の映像信号処理を施すことによって代表画面を検出し、MPEGビデオエンコーダ１３およびポスト映像信号処理回路２０に供給する。MPEGビデオエンコーダ１３は、システムコントローラ３１の指令に基づいて、プリ映像信号処理回路１２より供給された画像データに対して、離散コサイン変換（DCT：Discrete Cosine Transform）等の符号化処理を施し、映像のエレメンタリストリームを生成し、マルチプレクサ／デマルチプレクサ１４に供給する。
【００２６】
マルチプレクサ／デマルチプレクサ１４は、記録時、システムコントローラ３１の指令に基づいて、MPEG方式で圧縮されている、映像のエレメンタリストリーム、音声のエレメンタリストリーム、および、各種の制御信号を、マルチプレクス処理し、例えば、MPEG方式のトランスポートストリーム（ＴＳ：Transport Stream）を生成し、バッファコントローラ１７に供給する。マルチプレクサ／デマルチプレクサ１４はまた、再生時、バッファコントローラ１７より供給されたMPEG方式のトランスポートストリームをデマルチプレクス処理し、トランスポートストリームからパケッタイズドエレメンタリストリーム（PES:Packetized Elementary Stream）を抽出し、MPEG AVデコーダ１９に供給する。
【００２７】
バッファコントローラ１７は、システムコントローラ３１の指令に基づいて、マルチプレクサ／デマルチプレクサ１４より、連続的に供給されるトランスポートストリームを、ハードディスクドライブ（HDD：Hard Disc Drive）１８に断続的に供給できるように制御する。例えば、ハードディスクドライブ１８がシーク動作を行っている場合、トランスポートストリームの書き込みができないため、一時的にトランスポートストリームがバッファに蓄積され、書き込みが可能になると、入力レートより高いレートで書き込みが行われる。これにより、連続的に入力されるトランスポートストリームが、途切れることなくハードディスクドライブ１８に記録される。
【００２８】
バッファコントローラ１７はまた、ハードディスクドライブ１８より断続的に入力される信号を、連続するようにバッファ制御を行い、連続するトランスポートストリームをマルチプレクサ／デマルチプレクサ１４に供給する。
【００２９】
ハードディスクドライブ１８は、システムコントローラ３１の指令に基づいて、バッファコントローラ１７より断続的に供給されるトランスポートストリームを、所定のアドレスに記録する。ハードディスクドライブ１８はまた、所定のアドレスにシークし、そこに記録されているトランスポートストリームを読み出し、バッファコントローラ１７に供給する。
【００３０】
なお、バッファコントローラ１７およびハードディスクドライブ１８は、プロトコルとしてIDE(Integrated Drive Electronics)を用いているが、本発明では、トランスポートストリームを記録できるものであれば、これに限らなくてよい。
【００３１】
MPEG AVデコーダ１９は、システムコントローラ３１の指令に基づいて、マルチプレクサ／デマルチプレクサ１４より供給されたPESを、映像のエレメンタリストリームと音声のエレメンタリストリームに分離し、所定のデコード処理を施し、ベースバンドの画像データをポスト映像信号処理回路２０に、ベースバンドの音声データをポスト音声信号処理回路２４にそれぞれ供給それぞれ供給する。
【００３２】
ポスト映像信号処理回路２０は、システムコントローラ３１の指令に基づいて、プリ映像信号処理回路１２より供給された映像信号と、MPEG AVデコーダ１９より供給されたベースバンドの映像データとを切換えたり、合成したり、あるいはフィルタ処理し、オンスクリーンディスプレイ(On Screen Display)回路２１に供給する。ポスト映像信号処理回路２０はまた、画像表示用のウィンドウ（GUI：Graphic User Interface）等を生成するとともに、画像データの代表画面を生成して、そのウィンドウに貼り付け、オンスクリーンディスプレイ回路２１に供給する。
【００３３】
オンスクリーンディスプレイ回路２１は、システムコントローラ３１の指令に基づいて、テキスト情報を対応する画像データに変換し、ポスト映像信号処理回路２０から供給される画像データに重畳し、NTSCエンコーダ２２に供給する。NTSCエンコーダ２２は、システムコントローラ３１の指令に基づいて、オンスクリーンディスプレイ回路２１より供給された画像データ（コンポーネントデジタル信号）をＹ信号とＣ信号に変換した後、D/A変換したＳ映像信号と、アナログのコンポジット映像信号を生成し、それぞれを、外部ビデオ出力端子２３−１，２３−２を介して外部装置に出力する。
【００３４】
ポスト音声信号処理回路２４は、システムコントローラ３１の指令に基づいて、MPEG AVデコーダ１９より供給されたベースバンドの音声データに対して、フィルタ処理、フェード処理、および、話速変換処理等を施し、スイッチ２５の端子ａに供給する。
【００３５】
スイッチ２５は、システムコントローラ３１の指令に基づいて、ポスト音声信号処理回路２４からの音声データをD/A変換器２６に供給するとき、端子ａを選択するように切り替えられ、A/D変換器６からの音声データをD/A変換器２６に供給するとき、端子ｂを選択するように切り替えられる。D/A変換器２６は、スイッチ２５を介して入力された音声データをD/A変換して、外部オーディオ出力端子２７を介して外部装置に出力する。
【００３６】
システムコントローラ３１は、ホストバス３２を介してROM(Read Only Memory)３３に格納されているプログラムを読み出して実行し、各部を制御する。RAM(Random Access Memory)３４には、システムコントローラ３１が各部を制御する上において必要なプログラムやデータが適宜記憶される。システムコントローラ３１、ROM３３、およびRAM３４は、ホストバス３２を介して相互に接続されているとともに、入出力インターフェース３５にも接続されている。入出力インターフェース３５には、ドライブ３６が接続されており、磁気ディスク４１、光ディスク４２、光磁気ディスク４３、または半導体メモリ４４などが装着されるようになされている。入出力インタフェース３５にはまた、キーボード、マウス、ボタン、スイッチ、リモートコマンダ等よりなる入力部３７が接続されている。
【００３７】
また、ハードディスクレコーダは、アナログ信号の入出力だけでなく、デジタルデータの入出力を行うことも可能である。例えば、図示せぬIRD(Integrated Receiver Decoder)は、トランスポートストリームを、IEEE(The Institute of Electrical and Electronics Engineers)１３９４シリアルバスを介して、デジタル入出力端子１６からデジタルインタフェース１５に入力する。デジタルインタフェース１５は、システムコントローラ３１の指令に基づいて、インタフェース処理を施し、入力されたトランスポートストリームを、マルチプレクサ／デマルチプレクサ１４に供給する。マルチプレクサ／デマルチプレクサ１４は、システムコントローラ３１の指令に基づいて、デジタルインタフェース１５より供給されたトランスポートストリームを、バッファコントローラ１７に出力する。
【００３８】
マルチプレクサ／デマルチプレクサ１４はまた、バッファコントローラ１７より供給されたトランスポートストリームを、デジタルインタフェース１５に出力する。デジタルインタフェース１５は、マルチプレクサ／デマルチプレクサ１４より入力されたトランスポートストリームを、デジタル入出力端子１６から、IEEE１３９４シリアルバスを介して外部のIRDに供給し、そこに接続されているモニタに出力、表示させる。
【００３９】
なお、上述した例では、ハードディスクレコーダとIRDとを接続するようにして説明したが、本発明は、これに限らず、パーソナルコンピュータなどと接続することも可能である。
【００４０】
また、映像信号をMPEG方式で圧縮するようにして説明したが、本発明は、これに限らず、他の圧縮方式または非圧縮でもよい。
【００４１】
また、ハードディスク１８の代わりに光ディスク、光磁気ディスク、個体メモリなどの記録メディアを用いるようにしてもよい。
【００４２】
次に、映像信号の記録と平行して実行される、記録する映像信号の代表画面に付加された評価値をもとに、有効なものだけを保存する処理について、図２のフローチャートを参照して説明する。
【００４３】
ステップＳ１において、番組の映像信号の記録が終了したか否かが判定され、記録中であれば、ステップＳ２に進み、プリ映像信号処理回路１２により各フレームが代表画面候補になり得るか否かが判定される。
【００４４】
代表画面候補に成り得るフレームが検出された場合、ステップＳ３において、そのフレームの評価値、すなわち、代表画面らしさの尺度の値を算出し、当該フレームが出現した時刻とともにハードディスクドライブ１８に記録する。
【００４５】
ステップＳ４において、システムコントローラ３１は、現在の記録経過時間を監視し、記録経過時間に対応する代表画面の許容個数を確認する。図３に記録経過時間と代表画面の許容個数の関係の一例を示す。ここでは記録経過時間に応じて許容個数が段階的に増加するように設定する。
【００４６】
ステップＳ５において、新しく代表画面が記録されることによって、その許容個数を越えてしまうか否かの判定を行ない、越えていると判定された場合、間引き処理を行うため、処理はステップＳ６に進む。
【００４７】
ステップＳ６において、既に記録した代表画面の中で最も低い評価値をもつ画像が調べられ、その時刻が読み出され、ステップＳ７において、その代表画面を間引くことにより、代表画面の分布が疎になるか否かを判定される。ここでは、間引き対象の時間的に１つ前の代表画面と１つ後ろの代表画面の時刻の差が閾値Ｔ以上あるか否かが判定される。
【００４８】
疎にならないと判定された場合、その代表画面の間引き処理すなわちハードディスクドライブ１８からその記録が消去される。
【００４９】
ステップＳ７で疎になると判定された場合、ステップＳ９において、まだ消去対象となる代表画面が存在するか否かを判定される。まだ消去対象となる代表画面が存在すると判定された場合、次に評価値の低い代表画面が検索されて、ステップＳ７に戻り、それ以降の処理が繰り返される。
【００５０】
ステップＳ７以降の処理が繰り返されている間に、ステップＳ９において、消去可能な代表画面が存在しないと判定された場合、ステップＳ１０に進む。ステップＳ１０において、閾値Ｔの値が少し大きな値に変更され、ステップＳ７に戻り、再び、最も評価値の低い画像から検索が開始される。
【００５１】
このような処理により、ある区間に全く代表画面が存在しない、という事態を回避し、かつ、評価値の低い代表画面から順に間引くことができる。
【００５２】
上述した処理の具体例について図４を参照して説明する。
【００５３】
いま、記録開始された番組に関して、同図（Ａ）の状態１に示すような位置と評価値を持つ代表画面が検出されたとする。（下段の数値は評価値であり、閾値Ｔは１０分間とする）。現在時刻が録画開始３０分後であって、その時点における代表画面の許容個数が７個である場合を想定する。この場合、代表画面ＡからＧの合計７個が記録されている。そこに代表画面Ｈが追加されたときの様子を、同図（Ｂ）の状態２に示す。
【００５４】
状態２では、８個に増えてしまった代表画面を１つ間引く動作を説明する。この中で最も評価値が低い代表画面は評価値３０の代表画面Ｃである。ただし、代表画面Ｃを間引いたとすると代表画面Ｃの時間的に１つ前にある代表画面Ｂと１つ後ろにある代表画面Ｄとの代表画面間の時間間隔が１１分となり、閾値Ｔの値を越える。つまり、疎になると判定される。そこで、次に評価値が低い代表画面Ｅに着目する。代表画面Ｅの時間的に１つ前にある代表画面Ｄと１つ後ろにある代表画面Ｆとの時間間隔は７分であって、閾値Ｔを越えないので（疎でないので）、代表画面Ｅを間引くことにする。間引きが終了した状態３を同図（Ｃ）に示す。
【００５５】
代表画面を間引く他の方法について説明する。
【００５６】
類似した画を多く代表画面に選ばないことにより、ユーザに多くの情報を与えるような代表画面を選ぶことができる。代表画面を多く取っても、ほとんどが同じような画である場合には、ユーザが代表画面を選択する際に役に立たない。
【００５７】
このような場合には、代表画面のヒストグラム情報を取得して記録しておき、ヒストグラムと類似する、すなわち、画の内容が類似しているような代表画面が多く存在しないように、間引きのアルゴリズムを変更するようにしてもよい。
【００５８】
これは、新しい代表画面が追加される毎、その代表画面に類似した画面が過去に存在したか否かを調べ、存在した場合には優先的に間引くようにしてもよいし、そのときにその代表画面の評価値を低くするようにすることも考えられる。
【００５９】
次にユーザが代表画面を使ってタイトルの再生を開始する処理について、図５のフローチャートを参照して説明する。ステップＳ２１において、ハードディスクドライブ１８に記録されているタイトル群のそれぞれの代表画面の一覧が、図６に示すように、Ａ乃至Ｅの位置に表示される。ユーザは、カーソルを移動して、再生を開始させる画面を選択する。なお、Ａ乃至Ｅのうち、選択されたものはハイライト表示され、その拡大画面がＦの位置に表示される。
【００６０】
ステップＳ２２において、選択された代表画面の再生位置がハードディスクドライブ１８から読み出され、ステップＳ２３において、その再生位置から再生が開始される。
【００６１】
以上説明したように、本発明のハードディスクレコーダによれば、ユーザがより番組を代表するのに適切な画面を選択することができるようになり、番組内容の把握と再生開始位置の選択の補助として、より有効に作用する。また代表画面を記録終了時や再生時ではなく、記録時に間引くことにより、代表画面を保持しておくしておくための記憶容量が少なくて済む。さらに記録終了時や再生時に大量の処理をする必要がなくなり、ユーザの要求に対する応答性がよくなる。
【００６２】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００６３】
この記録媒体は、図１に示すように、コンピュータとは別に、ユーザにプログラムを提供するために配布される、プログラムが記録されている磁気ディスク４１（フロッピディスクを含む）、光ディスク４２（CD-ROM(Compact Disc-Read Only Memory)、DVD(Digital Versatile Disc)を含む）、光磁気ディスク４３（ＭＤ(Mini Disc)を含む）、もしくは半導体メモリ４４などよりなるパッケージメディアにより構成されるだけでなく、コンピュータに予め組み込まれた状態でユーザに提供される、プログラムが記録されているROMやハードディスクなどで構成される。
【００６４】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００６５】
また、本明細書において、システムとは、複数の装置により構成される装置全体を表すものである。
【００６６】
【発明の効果】
以上のように、本発明によれば、記録された映像信号を効率的に検索できるような代表画面だけを記録することが可能となる。
【図面の簡単な説明】
【図１】本発明の一実施の形態であるハードディスクレコーダの構成例を示すブロック図である。
【図２】ハードディスクレコーダの代表画面を間引く処理を説明するフローチャートである。
【図３】記録経過時間と代表画面の許容個数の関係の一例を示す図である。
【図４】代表画面を間引く処理の具体例を説明するための図である。
【図５】ハードディスクレコーダの再生処理を説明するフローチャートである。
【図６】再生処理におけるグラフィカルユーザインタフェースの表示例を示す図である。
【符号の説明】
１２  プリ映像信号処理回路，  １３  MPEGビデオエンコーダ，  １４  マルチプレクサ／デマルチプレクサ，  １７  バッファコントローラ，  １８  ハードディスクドライブ，  １９  MPEG AVデコーダ，  ２０  ポスト映像信号処理回路，  ２１  オンスクリーンディスプレイ回路，  ２４  ポスト音声信号処理回路，  ３１  システムコントローラ，  ３２  ホストバス，  ３３  ROM，  ３４  RAM，  ３６  ドライブ，  ４１  磁気ディスク，  ４２  光ディスク，４３  光磁気ディスク，  ４４  半導体メモリ，  ５２  特徴点検出器，  ５３  シーンチェンジ検出器，  ５４，６１  信号処理回路，  ６２  メモリ，  ７１  信号処理回路，  ７２  メモリ
【図１】
0004465827.tif 000002
【図２】
0004465827.tif 000003
【図３】
0004465827.tif 000004
【図４】
0004465827.tif 000005
【図５】
0004465827.tif 000006
【図６】
0004465827.tif 000007